【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
式
（ハプテン)m−（リンカー)n−（反応性基)o−（担体)p
［式中、
ハプテンはオキサゾール、ピラゾール、チアゾール、ベンゾフラザン、トリテルペン、尿素、チオ尿素、ニトロアリール、ロテノイド、クマリン、シクロリグナン、ヘテロビアリール、アゾアリール、ベンゾシアゼピン、またはそれらの組み合わせであり；
ハプテンを反応性基に連結するためのリンカーはホモ二官能性またはヘテロ二官能性であり、場合により末端官能基を含み且つ１〜３０個の炭素原子の鎖長を有する、１つもしくはそれ以上の不飽和部位を有する脂肪族炭化水素鎖またはアルキル鎖よりなる群から選ばれる脂肪族基；グリコール、場合により式（−ＯＣＨ2ＣＨ2Ｏ−)n（式中、ｎは２〜１５である）のエチレングリコールよりなる群から選ばれるアルキレンオキシド基；スルホスクシンイミジル−４−（Ｎ−マレイミドメチル）シクロヘキサン−１−カルボキシレート（スルホ−ＳＭＣＣ）、ＳＭＣＣ、ＥＧＳ（エチレングリコールビス［スクシンイミジルスクシネート］）、スルホ−ＥＧＳ（エチレングリコールビス［スルホスクシンイミジルスクシネート］）、ＤＴＳＳＰ（３,３′−ジチオビス［スルホスクシンイミジルプロピオネート］）、ＤＳＳ（ジスクシンイミジルスベレート）、ＢＳ（ビス［スルホスクシンイミジル］スベレート）、ＤＳＧ（ジスクシンイミジルグルタレート）、およびＭＳＡ（メチルＮ−スクシンイミジルアジペート）よりなる群から選ばれる商業的に入手可能なリンカー；あるいはＤＰＤＰＢ（１,４−ジ−［３′−（２′−ピリジルジチオ）プロピオンアミド］ブタン）、ＢＭ［ＰＥＯ］３（１,１１−ビス−マレイミドトリエチレングリコール）、ＢＭＨ（ビス−マレイミドヘキサン）、ＢＭ［ＰＥＯ］２（１,８−ビスマレイミドジエチレングリコール）、ＨＢＶＳ（１,６−ヘキサン−ビス−ビニルスルホン）、ＤＴＭＥ（ジチオビス−マレイミドエタン）、ＢＭＤＢ（１,４−ビス−マレイミジル−２,３−ジヒドロキシブタン）、ＢＭＢ（１,４−ビス−マレイミドブタン）およびＢＭＯＥ（ビス−マレイミドエタン）よりなる群から選ばれるスルフヒドリル反応性リンカー；あるいはＢＡＳＥＤ（ビス−［ｂ−（４−アジドサリシルアミド）エチル］ジスルフィドおよびＡＰＧ（ｐ−アジドフェニルグリオキサール１水和物）よりなる群から選ばれる光反応性化合物よりなる群から選ばれ；
リンカーを担体に連結するための反応性基はイソチオシアネート、イソシアネート、アシルアジド、ＮＨＳエステル、酸クロリド、アルデヒド、グリオキサール、エポキシド、オキシラン、カーボネート、アリール化剤、イミドエステル、カルボジイミド、無水物、およびそれらの組み合わせよりなる群から選ばれるアミン反応性基；ハロアセチル、アルキルハライド、マレイミド、アジリジン、アクリロイル誘導体、アリール化剤よりなる群から選ばれるチオール反応性官能基；ピリジルジスルフィド、ＴＮＢ−チオール、ジスルフィド還元剤、およびそれらの組み合わせよりなる群から選ばれるチオール−ジスルフィド交換試薬；ジアゾアルカン、ジアゾアセチル化合物、カルボニルジイミダゾール化合物、およびカルボジイミドよりなる群から選ばれるカルボキシレート反応性官能基；エポキシド、オキシラン、カルボニルジイミダゾール、Ｎ,Ｎ′−ジスクシンイミジルカルボネート、Ｎ−ヒドロキシスクシンイミジルクロロホルメート、ペリオデート酸化化合物、アルキルハロゲン、およびイソシアネートよりなる群から選ばれるヒドロキシル反応性官能基；ヒドラジン、シッフ塩基（Ｓｃｈｉｆｆ  ｂａｓｅ）、反応性アミノ化生成物、マンニッヒ縮合生成物（Ｍａｎｎｉｃｈ  ｃｏｎｄｅｎｓａｔｉｏｎ  ｐｒｏｄｕｃｔ）、およびそれらの組み合わせよりなる群から選ばれるアルデヒドおよびケトン反応性官能基；ジアゾニウム誘導体、マンニッヒ縮合生成物、ヨード化反応生成物、およびそれらの組み合わせよりなる群から選ばれる活性水素反応性化合物；アリールアジド、ハロゲン化アリールアジド、ベンゾフォノン、ジアゾ化合物、ジアジリン誘導体、およびそれらの組み合わせよりなる群から選ばれる光反応性化学官能基よりなる群から選ばれ；
担体はアミノ酸、ポリペプチド、タンパク質、ヌクレオシド、ヌクレオチド、ヌクレオチド鎖、核酸、ＤＮＡ、ＲＮＡ、ｍＲＮＡ、ポリマー、アミノアルキルアガロース、アミノプロピルガラスおよび架橋デキストランよりなる群から選ばれ；
ｍは１〜約１００であり、ｎは０〜約１０であり、ｏは１〜１００であり、そしてｐは１〜１０である］
を有するコンジュゲート。
【請求項２】
ｍが１〜約１００であり、ｎが０〜約５であり、そしてｏおよびｐが約１〜約５である請求項１に記載のコンジュゲート。
【請求項３】
ｍ、ｎ、ｏおよびｐが１である請求項１に記載のコンジュゲート。
【請求項４】
ハプテンが以下の一般的化学式
【化１】
2010508532.tif 000001
［式中、Ｒ1〜Ｒ4は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ4置換基の少なくとも１つはリンカーに結合されるかまたはリンカーもしくは担体分子に連結するのに適当な反応性基であり、Ｘは独立して窒素もしくは炭素であり、Ｙは酸素、硫黄もしくは窒素であり、そしてＹが酸素もしくは硫黄である場合、Ｒ1基は存在せず、そしてＹが窒素である場合、少なくとも１個のＲ1基が存在する］
を有するアゾールである請求項１に記載のコンジュゲート。
【請求項５】
ハプテンがモノ−もしくはジ−ニトロピラゾールである請求項１に記載のコンジュゲート。
【請求項６】
ハプテンが以下の構造
【化２】
2010508532.tif 000002
を有する請求項１に記載のコンジュゲート。
【請求項７】
式
【化３】
2010508532.tif 000003
［式中、Ｘは２〜約２４であり、そしてＲはハプテンを担体に連結するのに適当な反応性基である］
を有する請求項１に記載のコンジュゲート。
【請求項８】
反応性基がアミン反応性基、チオール反応性基、カルボキシレート反応性基、ヒドロキシル反応性基、アルデヒドおよびケトン反応性基、水素反応性官能基、光反応性基、ならびにそれらの組み合わせから選ばれる請求項７に記載のコンジュゲート。
【請求項９】
ハプテンがニトロアリールコンジュゲートである請求項１に記載のコンジュゲート。
【請求項１０】
ハプテンが以下の一般的化学式
【化４】
2010508532.tif 000004
［式中、Ｒ1〜Ｒ6の少なくとも１つはニトロであり、そして残りのＲ1〜Ｒ6環置換基は独立して水素、アシル、アルデヒド、アルコキシ、脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式（ｃｌｉｃ）、複素環式、シアノ、エステル、エーテル、ハロゲン、ヘテロアリール、ヒドロキシル、ヒドロキシルアミン、ケト、スルフヒドリル、スルホキシド、エキソメチレンから選択され、またはＲ1〜Ｒ6置換基の２つもしくはそれ以上は環系における原子であり、そしてＲ1〜Ｒ6置換基の少なくとも１つはリンカーに結合されるかもしくはリンカーに連結するのに適当な反応性基である］
を有する請求項１に記載のコンジュゲート。
【請求項１１】
ハプテンがジニトロフェニル化合物である請求項１０に記載のコンジュゲート。
【請求項１２】
ハプテンが式
【化５】
2010508532.tif 000005
を有する請求項１０に記載のコンジュゲート。
【請求項１３】
式
【化６】
2010508532.tif 000006
［式中、Ｘは２〜約２４であり、そしてＲはハプテンを担体に連結するのに適当な反応性基である］
を有する請求項１に記載のコンジュゲート。
【請求項１４】
式
【化７】
2010508532.tif 000007
［式中、Ｘは２〜約２４であり、Ｒはハプテンを担体に連結するのに適当な反応性基である］
を有する請求項１に記載のコンジュゲート。
【請求項１５】
ハプテンがベンゾフラザンもしくはその誘導体である請求項１に記載のコンジュゲート。
【請求項１６】
ハプテンが式
【化８】
2010508532.tif 000008
［式中、Ｒ1〜Ｒ4置換基は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、またはＲ1〜Ｒ4置換基の２つもしくはそれ以上は示される一般式を有するコンジュゲートに結合しているかもしくは縮合している環系における原子であり、Ｒ1〜Ｒ4置換基の少なくとも１つはリンカーに結合されるかもしくは反応性基であり、そしてＹは酸素、硫黄もしくはＲ5およびＲ6置換基を有する炭素原子であり、ここで、Ｒ5およびＲ6はＲ1〜Ｒ4について記載したとおりである］
を有する請求項１５に記載のコンジュゲート。
【請求項１７】
Ｙが酸素である請求項１６に記載のコンジュゲート。
【請求項１８】
式
【化９】
2010508532.tif 000009
［式中、Ｘは２〜約２４であり、そしてＲはハプテンを担体に連結するのに適当な反応性基である］
を有する請求項１６に記載のコンジュゲート。
【請求項１９】
ハプテンが式
【化１０】
2010508532.tif 000010
［式中、Ｒ1〜Ｒ21は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ21置換基の少なくとも１つはリンカーに結合されるかまたはリンカーもしくは担体分子への連結に適当な反応性基であり、そしてＲ1〜Ｒ21置換基の２つもしくはそれ以上は示される一般式を有するコンジュゲートに結合しているかもしくは縮合している環系における原子であることができ、Ｙは結合であり、それにより５員環を定義するかもしくはＲ22およびＲ23置換基を有する炭素原子であり、ここで、これらのＲ基はＲ1〜Ｒ21について記載したとおりである］
を有する環式トリテルペンである請求項１に記載のコンジュゲート。
【請求項２０】
ハプテンが式
【化１１】
2010508532.tif 000011
を有する請求項１９に記載のコンジュゲート。
【請求項２１】
ハプテンが式
【化１２】
2010508532.tif 000012
［式中、Ｒ1〜Ｒ3は独立して水素、脂肪族、置換された脂肪族、環式、複素環式、アリールおよびヘテロアリールであり、そしてＹは酸素もしくは硫黄である］
を有する尿素もしくはチオ尿素である請求項１に記載のコンジュゲート。
【請求項２２】
ハプテンが式
【化１３】
2010508532.tif 000013
［式中、Ｒ1〜Ｒ7は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから独立して選択され、Ｒ1〜Ｒ7置換基の少なくとも１つはリンカーに結合されるかもしくは反応性基であり、そしてＲ1〜Ｒ7置換基の２つもしくはそれ以上は示される一般式を有するコンジュゲートに結合しているかもしくは縮合している環系における原子であることができ、そしてＹは酸素もしくは硫黄である］
を有するアリール尿素もしくはチオ尿素である請求項２に記載のコンジュゲート。
【請求項２３】
ハプテンが式
【化１４】
2010508532.tif 000014
を有する請求項２１に記載のコンジュゲート。
【請求項２４】
式
【化１５】
2010508532.tif 000015
［式中、Ｘは２〜約２４であり、そしてＲはハプテンを担体に連結するのに適当な反応性基である］
を有する請求項２１に記載のコンジュゲート。
【請求項２５】
式
【化１６】
2010508532.tif 000016
を有する請求項２１に記載のコンジュゲート。
【請求項２６】
式
【化１７】
2010508532.tif 000017
を有する請求項２１に記載のコンジュゲート。
【請求項２７】
ハプテンが式
【化１８】
2010508532.tif 000018
［式中、Ｒ1〜Ｒ14は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせであり、Ｒ1〜Ｒ14置換基の少なくとも１つはリンカーに連結されるかもしくは反応性基であり、そしてＲ1〜Ｒ14置換基の２つもしくはそれ以上は示される一般式を有するコンジュゲートに結合しているかもしくは縮合している環系における原子であることができる］
を有するロテノイドである請求項１に記載のコンジュゲート。
【請求項２８】
ハプテンが式
【化１９】
2010508532.tif 000019
［式中、Ｒ〜Ｒ5は独立して水素、アルデヒド、アルコキシ、イソプレンのような全ての分枝鎖状異性体および全ての立体異性体を包含する、脂肪族、特に低級脂肪族、置換された脂肪族、ヘテロ脂肪族、アミノ、アミノ酸、アミド、シアノ（−ＣＮ）、ハロゲン、ヒドロキシル、ヒドロキシルアミン、オキシム（ＨＯ−Ｎ＝）、オキシムエーテル、アルキルヒドロキシル、カルボニル、脂肪族ケトンのようなケト、ニトロ、スルフヒドリル、スルホニル、スルホキシド、カルボキシル、カルボキシレート、エステル、アルキルエステル、アシル、エーテル、環式、複素環式、アリール、アルキルアリール、ヘテロアリール、多糖、炭水化物、単糖、二糖、オリゴ糖、多糖、およびそれらの組み合わせであり、Ｒ〜Ｒ5の少なくとも１つはリンカーもしくは担体分子に結合され、そしてＹは酸素、窒素、もしくは硫黄である］
を有するロテノンイソオキサゾリンである請求項１に記載のコンジュゲート。
【請求項２９】
式
【化２０】
2010508532.tif 000020
［式中、Ｘは２〜約２４であり、そしてＲはハプテンを担体に連結するのに適当な反応性基である］
を有する請求項２８に記載のコンジュゲート。
【請求項３０】
ハプテンが式
【化２１】
2010508532.tif 000021
［式中、Ｒ1〜Ｒ3は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ3置換基の少なくとも１つはリンカーに連結されるかもしくは反応性基であり、そしてＲ2〜Ｒ3置換基は、示される一般式を有するコンジュゲートに結合しているかもしくは縮合している環系における原子であることができ、そしてＹは酸素もしくは硫黄である］
を有するオキサゾールもしくはチアゾールスルホンアミドである請求項１に記載のコンジュゲート。
【請求項３１】
ハプテンが式
【化２２】
2010508532.tif 000022
［式中、Ｒ3〜Ｒ6は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ6置換基の少なくとも１つはリンカーに連結されるかもしくは反応性基であり、そしてＹは酸素もしくは硫黄である］
を有するオキサゾールもしくはチアゾールスルホンアミドである請求項３０に記載のコンジュゲート。
【請求項３２】
式
【化２３】
2010508532.tif 000023
［式中、Ｘは２〜約２４であり、そしてＲはハプテンを担体に連結するのに適当な反応性基である］
を有する請求項１に記載のコンジュゲート。
【請求項３３】
ハプテンが式
【化２４】
2010508532.tif 000024
［式中、Ｒ1〜Ｒ5は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ6置換基の少なくとも１つはリンカーに連結されるかもしくは反応性基である］
を有するオキサゾールもしくはチアゾールスルホンアミドである請求項３０に記載のコンジュゲート。
【請求項３４】
ハプテンが式
【化２５】
2010508532.tif 000025
［式中、Ｒ1〜Ｒ6は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、またはそのようなコンジュゲートを形成するために利用可能であるＲ1〜Ｒ6置換基の２つもしくはそれ以上はまた示される一般式を有するコンジュゲートに結合しているかもしくは縮合している環系における原子であることもでき、Ｒ1〜Ｒ6置換基の少なくとも１つはリンカーに連結されるかもしくは反応性基であり、そしてＹは酸素、窒素もしくは硫黄である］
を有するクマリンもしくはクマリン誘導体である請求項１に記載のコンジュゲート。
【請求項３５】
ハプテンが式
【化２６】
2010508532.tif 000026
を有する請求項３４に記載のコンジュゲート。
【請求項３６】
式
【化２７】
2010508532.tif 000027
［式中、Ｘは２〜約２４であり、そしてＲはハプテンを担体に連結するのに適当な反応性基である］
を有する請求項３４に記載のコンジュゲート。
【請求項３７】
ハプテンが式
【化２８】
2010508532.tif 000028
［式中、Ｒ1〜Ｒ12は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、またはそのようなコンジュゲートを形成するために利用可能であるＲ1〜Ｒ12置換基の２つもしくはそれ以上はまた示される一般式を有するコンジュゲートに結合しているかもしくは縮合している環系における原子であることもでき、Ｒ1〜Ｒ12置換基の少なくとも１つはリンカーに連結されるかもしくは反応性基である］
を有するシクロリグナンである請求項１に記載のコンジュゲート。
【請求項３８】
ハプテンが式
【化２９】
2010508532.tif 000029
［式中、Ｒ1〜Ｒ22は独立して水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、シアノ、エステル、エーテル、エキソメチレン、ハロゲン、ヘテロアリール、複素環式、ヒドロキシル、ヒドロキシルアミン、脂肪族ケトン、ニトロ、スルフヒドリル、スルホキシド、およびそれらの組み合わせから選択され、Ｒ1〜Ｒ22置換基の少なくとも１つはリンカーに連結されるかもしくは反応性基であり、そしてＹは窒素、酸素もしくは硫黄である］
を有する請求項３７に記載のコンジュゲート。
【請求項３９】
ハプテンが式
【化３０】
2010508532.tif 000030
を有するシクロリグナンである請求項３７に記載のコンジュゲート。
【請求項４０】
式
【化３１】
2010508532.tif 000031
［式中、Ｘは２〜約２４であり、そしてＲはハプテンを担体に連結するのに適当な反応性基である］
を有する請求項３７に記載のコンジュゲート。
【請求項４１】
ハプテンが式
【化３２】
2010508532.tif 000032
［式中、Ｒ1〜Ｒ2は独立して水素、アシル、アルデヒド、アルコキシ、脂肪族、特に低級脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、複素環式、シアノ（−ＣＮ）、エステル、アルキルエステル、エーテル、ハロゲン、ヘテロアリール、ヒドロキシル、ヒドロキシルアミン、オキシム（ＨＯ−Ｎ＝）、ケト、スルフヒドリル、スルホニル、スルホキシド、示される一般式を有するコンジュゲートに結合しているかもしくは縮合している環系における原子から選択され、そしてＹは酸素、窒素もしくは硫黄であり、ここで、Ｙが炭素および／もしくは窒素である場合、該式はまたアリール環を定義するための二重結合を含むこともできる］
を有するヘテロビアリール化合物である請求項１に記載のコンジュゲート。
【請求項４２】
ハプテンが式
【化３３】
2010508532.tif 000033
を有するフェニルキノリンである請求項４１に記載のコンジュゲート。
【請求項４３】
式
【化３４】
2010508532.tif 000034
［式中、Ｘは２〜約２４であり、そしてＲはハプテンを担体に連結するのに適当な反応性基である］
を有する請求項４１に記載のコンジュゲート。
【請求項４４】
式
【化３５】
2010508532.tif 000035
［式中、Ｘは２〜約２４であり、そしてＲはハプテンを担体に連結するのに適当な反応性基である］
を有する請求項４１に記載のコンジュゲート。
【請求項４５】
ハプテンが式
【化３６】
2010508532.tif 000036
［式中、Ｒ1〜Ｒ2は独立して水素、アシル、アルデヒド、アルコキシ、脂肪族、特に低級脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、複素環式、シアノ（−ＣＮ）、エステル、アルキルエステル、エーテル、ハロゲン、ヘテロアリール、ヒドロキシル、ヒドロキシルアミン、オキシム（ＨＯ−Ｎ＝）、ケト、スルフヒドリル、スルホニル、スルホキシドから選択されるか、または環中の原子である］
を有するアゾアリール化合物である請求項１に記載のコンジュゲート。
【請求項４６】
ハプテンが式
【化３７】
2010508532.tif 000037
［式中、Ｒ2〜Ｒ5は水素、アシル、アルデヒド、アルコキシ、脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、複素環式、シアノ（−ＣＮ）、エステル、アルキルエステル、エーテル、ハロゲン、ヘテロアリール、ヒドロキシル、ヒドロキシルアミン、オキシム（ＨＯ−Ｎ＝）、ケト、スルフヒドリル、スルホニル、スルホキシドから選択されるか、または示される一般式を有するコンジュゲートに結合しているかもしくは縮合している環系における原子であり、そしてＸはハライドである］
を有する請求項４５に記載のコンジュゲート。
【請求項４７】
式
【化３８】
2010508532.tif 000038
［式中、Ｘは２〜約２４であり、そしてＲはハプテンを担体に連結するのに適当な反応性基である］
を有する請求項４５に記載のコンジュゲート。
【請求項４８】
ハプテンが式
【化３９】
2010508532.tif 000039
［式中、Ｒ1〜Ｒ5は独立して水素、アシル、アルデヒド、アルコキシ、脂肪族、特に低級脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、複素環式、シアノ（−ＣＮ）、エステル、アルキルエステル、エーテル、ハロゲン、ヘテロアリール、ヒドロキシル、ヒドロキシルアミン、オキシム（ＨＯ−Ｎ＝）、ケト、スルフヒドリル、スルホニル、スルホキシドから選択されるか、または環系における原子であり、そしてＹは酸素もしくは硫黄である］
を有するベンゾジアゼピンである請求項１に記載のコンジュゲート。
【請求項４９】
ハプテンが
【化４０】
2010508532.tif 000040
［式中、Ｒ2〜Ｒ6は独立して水素、アシル、アルデヒド、アルコキシ、脂肪族、特に低級脂肪族、置換された脂肪族、ヘテロ脂肪族、オキシム、オキシムエーテル、アルコール、アミド、アミノ、アミノ酸、アリール、アルキルアリール、炭水化物、単糖、二糖、オリゴ糖、多糖、カルボニル、カルボキシル、カルボキシレート、環式、複素環式、シアノ（−ＣＮ）、エステル、アルキルエステル、エーテル、ハロゲン、ヘテロアリール、ヒドロキシル、ヒドロキシルアミン、オキシム（ＨＯ−Ｎ＝）、ケト、スルフヒドリル、スルホニル、スルホキシドから選択されるか、または環系における原子であり、そしてＹは酸素もしくは硫黄である］
を有する請求項４８に記載のコンジュゲート。
【請求項５０】
式
【化４１】
2010508532.tif 000041
［式中、Ｘは２〜約２４であり、そしてＲはハプテンを担体に連結するのに適当な反応性基である］
を有する請求項４８に記載のコンジュゲート。
【請求項５１】
リンカーが１〜約１５個のエチレングリコール単位を含んでなるポリマーである請求項１に記載のコンジュゲート。
【請求項５２】
リンカーが４、８もしくは１２個のエチレングリコール単位を有するポリエチレングリコールである請求項１に記載のコンジュゲート。
【請求項５３】
担体が特異的結合部分である請求項１に記載のコンジュゲート。
【請求項５４】
担体が核酸である請求項１に記載のコンジュゲート。
【請求項５５】
担体が抗体である請求項１に記載のコンジュゲート。
【請求項５６】
試料を請求項１〜５５のいずれかに記載の式（ハプテン)m−（リンカー)n−（反応性基)o−（担体)pを有するコンジュゲートと接触させ；そして
試料を別に検出することができる少なくとも１種の抗ハプテン抗体と接触させ、ここで少なくとも１種の抗ハプテン抗体はオキサゾール、ビラゾール、チアゾール、ベンゾフラザン、トリテルペン、ニトロアリール、尿素、チオ尿素、ロテノイド、クマリン、シクロリグナン、ヘテロビアリール、アゾアリール、またはベンゾジアゼピンハプテンの１つに結合する
ことを含んでなるアッセイを実施するための方法。
【請求項５７】
試料中の２種もしくはそれ以上の標的のための多重化診断アッセイを含んでなり、そしてさらに２種もしくはそれ以上の特異的結合部分、２種もしくはそれ以上のハプテンおよび２種もしくはそれ以上の抗ハプテン抗体を含んでなる請求項５６に記載の方法。
【請求項５８】
２種もしくはそれ以上の異なる抗ハプテン抗体が異なる検出可能な標識にコンジュゲーションされる請求項５７に記載の方法。
【請求項５９】
検出可能な標識が異なる波長で放射する請求項５８に記載の方法。
【請求項６０】
検出可能な標識が量子ドットである請求項５８に記載の方法。
【請求項６１】
２種もしくはそれ以上のハプテンが２種もしくはそれ以上の異なるオキサゾール、ピラゾール、チアゾール、ベンゾフラザン、トリテルペン、ニトロアリール、尿素、チオ尿素、ロテノイド、クマリン、シクロリグナン、ヘテロビアリール、アゾアリール、またはベンゾジアゼピンである請求項５６に記載の方法。
【請求項６２】
２種もしくはそれ以上の異なる抗ハプテン抗体を２種もしくはそれ以上の異なる抗ハプテン抗体に特異的に結合する２種もしくはそれ以上の抗−抗体と接触させることをさらに含んでなる請求項５６に記載の方法。
【請求項６３】
担体が特異的結合部分である請求項５６に記載の方法。
【請求項６４】
担体が核酸である請求項５６に記載の方法。
【請求項６５】
担体が抗体である請求項５６に記載の方法。
【請求項６６】
請求項１〜５５のいずれかに記載の式（ハプテン)m−（リンカー)n−（反応性基)o−（担体)pを有するコンジュゲート；および
抗ハプテン抗体
を含んでなるキット。
【請求項６７】
抗ハプテン抗体が検出可能な標識にコンジュゲーションされる請求項６６に記載のキット。
【請求項６８】
検出可能な標識にコンジュゲーションされた抗−抗ハプテン抗体をさらに含んでなる請求項６６に記載のキット。
【請求項６９】
ハプテンがｄＣＴＰにコンジュゲーションされてハプテン−ｄＣＴＰコンジュゲートを形成する請求項６６に記載のキット。
【請求項７０】
抗ハプテン抗体が検出可能な標識にコンジュゲーションされる請求項６６に記載のキット。
【請求項７１】
検出可能な標識が酵素、発色団、量子ドット、またはそれらの組み合わせである請求項６６に記載のキット。
【請求項７２】
ハプテンがオキサゾール、ビラゾール、チアゾール、ベンゾフラザン、トリテルペン、尿素、チオ尿素、ロテノイド、クマリン、シクロリグナン、ビヘテロアリール、アゾアリール、またはベンゾジアゼピンである、ハプテン−デオキシシチジントリホスフェート（ｄＣＴＰ）コンジュゲート。